(57)【要約】  特に家具の側壁（３）にシェルフ（２）を結合するための結合装置であって、シェルフ（２）に横方向に設けられるように構成されるとともに、第１の軸線方向の座部（８）に隣接した第２の座部（１２）内に回転可能に配置され得る第１の冠形状の頭部（１１）が設けられたねじ（１０）の第１の軸部（９）の回転可能な連結のための第１の座部（８）を有する、第１の穴（５）に組み込まれ得る円筒体（４）を備える、結合装置。第２の穴（２８）が、シェルフ（２）に第１の穴（５）に対して直角に設けられるように構成されており、実質的に上面（２９）と面一に又は上面（２９）よりも下にインサート（３７）を収容する。インサート（３７）には、第１の冠形状の頭部（１１）と回転可能に連結され得る第１のツール（４９）の第３の頭部（４８）用の第７の座部（３８）が設けられている。【選択図】  図２
2018528364.tif 000002
【特許請求の範囲】
【請求項１】
特にシェルフ（２）を家具の側壁（３）に結合するための結合装置であって、
前記シェルフ（２）に横方向に設けられるように構成される第１の穴（５）に組み込まれ得る円筒体（４）を備え、
前記第１の穴（５）が、軸線方向の第１の座部（８）を有しており、該第１の座部（８）が、該第１の座部（８）に隣接した第２の座部（１２）の中に回転可能に配置され得る冠形状の第１の頭部（１１）が設けられたねじ（１０）の第１の軸部（９）と回転可能に連結するようになっている、結合装置（１）において、
第２の穴（２８）が、前記シェルフ（２）に前記第１の穴（５）に対して直角に設けられるように構成されており、実質的に上面（２９）と面一に又は前記上面（２９）よりも下にインサート（３７）を収容しており、
前記インサート（３７）には、冠形状の前記第１の頭部（１１）と回転可能に連結され得る第１のツール（４９）の第３の頭部（４８）のための第７の座部（３８）が設けられていることを特徴とする、結合装置（１）。
【請求項２】
前記円筒体（４）が、実質的に円筒形で中空形状を有する単一のシェル（６）から成り、前記第１の座部（８）に画定された前記シェル（６）の内側側面（５１）に、前記第１の軸部（９）が回転可能に当接され、前記ねじ（１０）の前記第１の頭部（１１）から突出している前記第１の軸部（９）の部分の近傍に、前記ねじ（１０）の軸線方向の摺動を阻止するように構成されている環状凸部（５２）と相互作用する環状凹部（４４）が存在することを特徴とする、請求項１に記載の結合装置。
【請求項３】
前記シェル（６）が外側側面（１９）を有し、
前記外側側面（１９）の表面上に、前記第１の座部（８）及び第２の座部（１２）の軸線に対して並びに前記第１の軸部（９）の軸線に対して直角に、第３の座部又は穴（１８）が存在し、
前記第３の座部又は穴（１８）の内部には前記第１のツール（４９）の前記第３の頭部（４８）を一時的に配置することが可能であり、
前記シェル（６）内には、前記第３の座部又は穴（１８）の側方に、前記第３の座部又は穴（１８）と平行な状態で、前記ねじ（１０）の前記第１の頭部（１１）に対して反対側に、前記シェル（６）の直径全体に影響し前記シェル（６）を貫通している別個の第６の座部又は穴（３６）が設けられていることを特徴とする、請求項１及び２に記載の結合装置。
【請求項４】
第２の穴（２８）が、前記シェルフ（２）に前記第１の穴（５）に対して直角に設けられるように構成されており、前記第１の穴（５）に接続されており、前記シェルフ（２）の前記上面（２９）に対して実質的に面一に配置されているインサート（３７）を収容しており、
前記インサート（３７）が、実質的に円筒形の形状を有し、当該結合装置が組み立てられたときに、前記インサート（３７）が前記第３の座部（１８）に部分的に進入することを可能にする、前記シェルフ（２）の前記上面（２９）と前記円筒体（４）の外側側面（１９）との間の高さを有することを特徴とする、請求項１〜３のうちの１つ又は複数に記載の結合装置。
【請求項５】
前記インサート（３７）には、貫通した第７の座部（３８）が軸線方向に設けられており、  前記第７の座部（３８）が、前記円筒体（４）に設けられた前記第３の座部又は穴（１８）と同じ軸線に沿って配置されるように、前記インサート（３７）の中心軸線に対して偏倚されており、
前記第７の貫通座部（３８）内に、前記第１のツール（４９）の前記第３の頭部（４８）を一時的に配置することが可能であることを特徴とする、請求項１〜４のうちの１つ又は複数に記載の結合装置。
【請求項６】
前記第７の座部（３８）に隣接し前記第７の座部（３８）と平行に、別個の第８の座部（３９）が設けられており、
前記第８の座部（３９）が更に、前記第６の座部又は穴（３６）と同じ軸線に沿って配置されるように、前記インサート（３７）の中心軸線に対して偏倚されており、
前記第８の座部（３９）が、前記第８の座部（３９）よりも下にあり前記第８の座部（３９）と軸線方向に整列されている領域において前記家具に組み込まれた脚を任意選択的に調整するために、第２のツールの通過を可能にするような直径を有することを特徴とする、請求項１〜５のうちの１つ又は複数に記載の結合装置。
【請求項７】
前記インサート（３７）が、前記インサート（３７）から下向きに突出している第１の翼部（４０）及び第２の翼部（４１）を有し、
前記第１の翼部（４０）が、下方の領域において前記シェル（６）の内側側面（４５）に載置され、前記第８の座部（３９）に隣接した前記第７の座部（３８）の側方に突出し延びており、
前記第１のツール（４９）の前記第３の頭部（４８）が前記第７の座部（３８）内に一時的に配置可能であることを特徴とする、請求項１〜６のうちの１つ又は複数に記載の結合装置。
【請求項８】
前記ねじ（１０）の前記第１の頭部（１１）に向いている前記第１の翼部（４０）の平坦な側面（５３）が、部分的に切り欠かれており、これにより、前記第１のツール（４９）の前記第３の頭部（４８）の端部（５０）と相補的な形状である第９の座部（４２）が得られるようになっており、前記第９の座部（４２）により、前記第３の頭部（４８）が前記ねじ（１０）の前記第１の頭部（１１）と連結されることを特徴とする、請求項１〜７のうちの１つ又は複数に記載の結合装置。
【請求項９】
引き抜き防止部又はボルトの機能が、前記インサート（３７）の存在によってもたらされ、
前記インサート（３７）が前記シェルフ（２）に設けられた前記第２の穴（２８）に挿入されるため、前記インサート（３７）が前記円筒体（４）を前記シェルフ（２）に対してロックすることを特徴とする、請求項１〜８のうちの１つ又は複数に記載の結合装置。
【請求項１０】
前記第２の翼部（４１）が、前記第８の座部（３９）を取り囲んで境界を画しており、前記第６の座部（３６）内に配置され、前記第２の穴（２８）よりも下にあり、
前記第２の翼部（４１）が、前記円筒体（４）に設けられた相補形状の第５の穴（４６）に下側領域において接続されており、
前記円筒体（４）を貫通している前記第６の座部（３６）は、前記シェルフ（２）が前記家具の底部として機能する場合に、下側領域において前記シェルフ（２）に組み込まれた脚の任意選択的な調節を可能にするように構成されている第２のツール用の出入り径路を画定していることを特徴とする、請求項１〜９のうちの１つ又は複数に記載の結合装置。
【請求項１１】
前記インサート（３７）に設けられた前記第７の座部（３８）と、前記第１の翼部（４０）の前記平坦な側面（５３）に設けられた前記第９の座部（４２）とが、同じ軸線に沿って配置されており、反時計回りの回転を正と見なしたときに前記シェルフ（２）の前記上面（２９）が配置される面に対して鋭角を形成するよう傾斜するように、前記インサート（３７）の中心軸線及び前記第３の座部又は穴（１８）の軸線の両方に対して偏倚されており、
前記第９の座部（４２）が、前記第１の冠形状の頭部（１１）に回転可能に連結され得る前記第１のツール（４９）の前記第３の頭部（４８）の前記端部（５０）と相補的な形状に形成されていることを特徴とする、請求項１〜１０のうちの１つ又は複数に記載の結合装置。
【請求項１２】
前記第１の翼部（４０）が、前記円筒体（４）に設けられた前記第５の穴（４６）に配置される下側自由端（５４）を有することを特徴とする、請求項１〜１１のうちの１つ又は複数に記載の結合装置。
【請求項１３】
前記第２の穴（２８）が、前記シェルフ（２）に前記第１の穴（５）に対して直角に設けられるように構成されており、前記第１の穴（５）に接続されており、前記シェルフ（２）の前記上面（２９）に対して実質的に面一に配置されたインサート（３７）を収容しており、
前記インサート（３７）が、実質的に円筒形の形状を有し、前記結合装置が組み立てられたときに前記シェルフ（２）の前記上面（２９）と前記円筒体（４）の前記外側側面（１９）との間に存在する距離よりも高く、
前記インサート（３７）が、取り付けられると、前記シェルフ（２）と実質的に面一な状態のままで前記ねじ（１０）の前記第１の頭部（１１）に載置されることを特徴とする、請求項１〜１２のうちの１つ又は複数に記載の結合装置。
【請求項１４】
前記第７の座部（３８）が、前記円筒体（４）に設けられた第３の座部又は穴（１８）と同じ軸線に沿って配置されるように、前記インサート（３７）に前記インサート（３７）の中心軸線と同軸に軸線方向に設けられており、
前記第３の座部又は穴（１８）内には、前記ツール（４９）の前記第３の頭部（４８）を一時的に配置可能であり、
前記インサート（３７）が前記第２の穴（２８）の深さよりも実質的に低い高さを有し、
前記インサート（３７）が、前記円筒体（４）に設けられた前記第３の座部又は穴（１８）に挿入可能であることを特徴とする、請求項１〜１３のうちの１つ又は複数に記載の結合装置。
【請求項１５】
前記インサート（３７）が、前記第７の座部（３８）の下側領域において前記インサート（３７）から突出している第１の翼部（４０）を有し、前記ツール（４９）の第３の軸部（５９）を収容する前記第７の座部（３８）の部分において半径方向に延びており、
前記第１の翼部（４０）が、前記円筒体（４）に設けられた第５の穴（４６）に配置されている下側自由端（５４）を有することを特徴とする、請求項１〜１４のうちの１つ又又は複数に記載の結合装置。
【請求項１６】
前記ねじ（１０）の前記第１の頭部（１１）に向いている前記第１の翼部（４０）の前記平坦な側面（５３）が、部分的に切り欠かれており、前記ツール（４９）の前記第３の軸部（５９）と相補的な形状である第９の座部（４２）が得られるようになっていることを特徴とする、請求項１〜１５のうちの１つ又は複数に記載の結合装置。
【請求項１７】
前記第１のツール（４９）の前記第３の頭部（４８）が、実質的にピニオン形状であり、前記第２の座部（１２）の中に収容された前記第１の頭部（１１）と運動学的に連結するように構成されており、
前記第３の軸部（５９）が、前記第３の頭部（４８）の端部から突出しており、前記相補的な形状の第９の座部（４２）に収容可能であることを特徴とする、請求項１〜１６のうちの１つ又は複数に記載の結合装置。
【請求項１８】
前記円筒体（４）が第１の半割りシェル（７ａ）及び第２の半割りシェル（７ｂ）によって構成されており、
前記第１の半割りシェル（７ａ）及び前記第２の半割りシェル（７ｂ）が、実質的に円筒形で中空形状を有し、前方連結によって軸線方向に連結可能であることを特徴とする、請求項１〜１７のうちの１つ又は複数に記載の結合装置。
【請求項１９】
前記第１の半割りシェル（７ａ）には、冠状の前記第１の頭部（１１）が設けられた前記ねじ（１０）の前記第１の軸部（９）と回転式に噛合するための軸線方向の前記第１の座部（８）が設けられており、
前記ねじ（１０）の前記第１の頭部（１１）が、前記第１の半割りシェル（７ａ）に向いている前記第２の半割りシェル（７ｂ）の平坦部分（１４）を画定するように弦に沿って切断された端部（１３）の近傍に設けられた前記第２の座部（１２）内に、回転可能に配置され得ることを特徴とする、請求項１〜１８のうちの１つ又は複数に記載の結合装置。
【請求項２０】
前記第２の座部（１２）が、前記第１の座部（８）が配置される面に対して垂直な面に沿って得られ、実質的に半円形であり、２つの仕切り（１５ａ、１５ｂ）の間に配置されており、
前記仕切り（１５ａ、１５ｂ）のうちの、前記第１の半裁シェル（７ａ）に向いている前方の前記仕切り（１５ａ）が、前記第１の座部（８）と同じ軸線に沿った前記第１の軸部（９）の設置及び通過のための半円形の開口部（１６）を有することを特徴とする、請求項１〜１９のうちの１つ又は複数に記載の結合装置。
【請求項２１】
前記ねじ（１０）の前記第１の頭部（１１）の一部が、前記第２の座部（１２）から突出しており、前記第１の半割りシェル（７ａ）から前記第２の半割りシェル（７ｂ）の方向に突出している前記第１のタブ（１７）よりも下に存在しており、
前記第１のタブ（１７）が、前記第２の半割りシェル（７ｂ）と組み合わされたときに、前記第２の半割りシェル（７ｂ）の前記切断された端部（１３）の上に存在するようになるまで、したがって下にある前記ねじ（１０）の冠形状の前記第１の頭部（１１）の上に存在するようになるまで、円弧に沿って延びていることを特徴とする、請求項１〜２０のうちの１つ又は複数に記載の結合装置。
【請求項２２】
前記第２の半割りシェル（７ｂ）が、前記切断された端部（１３）から始まって前記前方仕切り（１５ａ）において得られた前記開口部（１６）を取り囲むようにして、前記第１の半裁シェル（７ａ）の方向に前記第１の座部（８）と同軸である円弧に従うように突出して、前記第１の半割りシェル（７ａ）が前記第２の半割りシェル（７ｂ）と軸線方向に嵌合している間、前記第１の座部（８）内にて前記第１の座部（８）の内側側面に当接して配置されるようになっている、第２のタブ（２５）を有し、
前記ねじ（１０）の前記第１の軸部（９）の前記第１の端部（２６）が、前記第２のタブ（２５）に回転可能に当接し、冠形状の前記第１の頭部（１１）から突出していることを特徴とする、請求項１〜２１のうちの１つ又は複数に記載の結合装置。
【請求項２３】
前記第２の半割りシェル（７ｂ）には前記第３の座部（１８）が存在し、該第３の座部（１８）が、前記第１の座部（８）の軸線に対して、したがって前記第１の軸部（９）の軸線に対して直角に、前記平坦部分（１４）から始まって、前記インサート（３７）及び前記第２の座部（１２）に収容された前記第１の頭部（１１）と運動学的に連結するように構成された前記第３の頭部（４８）が設けられた前記第１のツール（４９）の前記第３の軸部（５９）の相互接続のためのものであり、前記第３の座部（１８）が、下側領域において開口しており、前記隣接する第２の座部（１２）には接続されていないことを特徴とする、請求項１〜２２のうちの１つ又は複数に記載の結合装置。
【発明の詳細な説明】
【技術分野】
【０００１】
本発明は、特に家具の側壁にシェルフを結合するための結合装置に関する。
【背景技術】
【０００２】
現在、伊国特許出願第ＰＮ２００５Ｕ００００３５号で出願された伊国実用新案第２６２９９５号が知られており、これは、家具の互いに直角に当接する２つの構造要素の着脱可能な接続のための結合部材であって、第１の構造要素と関連させることができ且つ第２の構造要素と関連させることのできる固定要素に係合するように構成されている収容体と、収容体の中に配置され且つ固定要素と協働して互いに構造要素を固定する作動要素と、を備え、固定要素はねじの軸部と一体である歯付き頭部を備え、頭部は収容体の中に回転可能に連結されており、ねじ軸部は収容体から突出しており、作動要素は頭部を作動させてねじ軸部を第２の構造要素の中に螺入するように構成されているクラウンギヤを備える、結合部材を請求している。
【０００３】
この手段には欠点がある。すなわち、結合部材の構造の複雑さ、パネルの厚さに応じた様々なサイズ／寸法の結合部材を用意する必要があること、結合部材を最小厚さが厚いパネル上で使用する必要があること、パネルの１つの縁部に影響を与えるように付着されなければならない平坦な縁部を結合部材が露出することによる少なからぬ美観上の影響、並びに、実行するのが複雑である収容体及びピンの設置のために、パネルに２つの穴／座部を設ける必要があること、に起因する高い製造コスト及び組み立てコストが実際上目を引く。
【０００４】
収容体は円筒形形状を有し、２つの構成要素へと直径方向に分割され、これらの構成要素は、クラウンギヤ及び固定要素をクランプするために結合されなければならない。クランプの程度が高いと歯車間で最適な相互作用ができない場合があり、また一方で、遊びの存在下で提供されるクランプでは、歯が互いに詰まる可能性があるため、歯車を作動させるのが困難になる場合がある。
【０００５】
更に、クラウンギヤ及び固定要素は収容体に埋設されている。クラウンギヤの保守を行う場合、パネルから収容体全体を取り外す必要があり、したがって、内部の構成要素に到達するために、収容体を開く、実際には破壊する必要がある。実際には、保守を行う場合にはこうして、結合部材全体を交換する必要がある。更にこの場合、パネルもまた損なわれる。
【０００６】
この手段では、家具に組み込まれた水平調節脚の任意の調節を行うことを可能にするために、パネルに更なる穴を設けることが必要となる。
【０００７】
最後に、この構造はかさ張り、またしたがって、薄いパネルが使用される場合は取り付けが困難である。
【０００８】
パネルなどの構造要素の接続部を得るための手段を開示する国際公開第２００８／０７６０８９号も知られている。この手段は、パネルに横方向に設けられた穴の中に配置可能なねじ付きブシュ及びフレームを備える。フレームの内部には以下のものが設置される。冠形状の頭部が設けられた第１のねじ、外側にねじ部を有し且つフレームに軸線方向に設けられた第１の相補的なねじ部と回転可能に組み合わされたブシュ、予圧縮されたばね、かかるばねと第１のねじの軸部とを収容するための座部を頭部に有する第２のねじ、かかる第１のねじに対して横方向に配置され且つクラウンギヤ・ピニオンシステムに従い頭部が第１のねじの頭部と相互作用する第３のねじ、である。
【０００９】
フレームの中に収容される要素は、第２のねじを所定位置に維持するフレームの一方の端部に軸線方向に設けられた第２のねじ部と回転可能に関連付けられた第１の相補的なねじ付きのリングによって、及び、第３のねじを所定位置に維持するフレームの一方の端部に接線方向に設けられた第３のねじ部と回転可能に組み合わされた相補的な第２のリングによって、フレームの構造に動かないように固定される。
【００１０】
更に、パネルに第２のねじの調節を可能にするための穴が設けられる手段が提供されている。
【００１１】
この手段もまた欠点を有する。第３のねじは、一度フレームに螺着されると、その位置に固定され、取り外し可能ではなくなり、したがって、動作不良又は摩耗を起こした場合に如何なる保守をも行うことができない。
【００１２】
更に、この手段では、第１のねじの頭部は、フレームに軸線方向に設けられている第１のねじ部と回転可能に組み合わされた外側に相補的なねじ部を有するブシュとは、対照的に機能する。すなわち、ブシュが緩むと、第１のねじの頭部の、第２のねじの頭部との最適な相互作用がなくなり、この結果、調節が実現不可能になる。
【００１３】
ブシュによる第２のねじのフレームへの回転可能な接続に関連して、同様の所見を述べることができる。
【００１４】
この手段は、装置を構成する構成要素の数が多いことに起因して、構造的に複雑であり、手間がかかる、フレームへの様々な構成要素の事前組み付けを必要とし、更には、部分的に予圧縮されるばねを使用する。
【００１５】
この手段でも、家具に組み込まれた水平調節脚の任意の調節を行うことを可能にするために、パネルに追加の穴を設けることが必要となる。
【００１６】
最後に、この構造もかさ張り、薄いパネルにおいて取り付けるのは困難である。
【００１７】
リングギヤ、リングギヤの軸部を収容するシェル、コイルばね、ピニオンギヤ、連結シャフト、前部支持体によって構成される、本体又は構造ハウジング又はフレームの中に収容された結合装置を開示している米国特許第第５７４３６７０号も知られている。
【００１８】
連結シャフトは、一方の端部がシェルの中に収容される円筒形部分と、キー用の長手方向保持スロットが設けられた円筒形中央部分と、円筒形カラーと、前部支持体の中に収容され且つねじ部を有さない部分及びねじ付きの端部を有する長手方向シャフトとを備える円筒形連結部分によって構成される、複数部分からなる。
【００１９】
現在知られている手段の組み立て方法は、多数の構築ステップを要し、更に、かかる手段は、装置を構成する構成要素の数が多いことに起因して、構造的に複雑であり、手間がかかるフレームへの様々な構成要素の事前組み付けを必要とし、更には、シェル及び前部支持体を本体に固定するための要素として、部分的に予圧縮されるばね、並びに追加の機械的手段又は溶接部又は接着剤を使用する。
【００２０】
構成要素の数が多いことにより、更に、特別に薄いパネルに装置を適用することが妨げられる。
【００２１】
この手段も、必要とされる構成要素の数が多いことに起因して、並びに、構成要素の事前組み付けのために必要とされるコスト及び時間の観点から、製造コストに関して特に高価となる。
【００２２】
最後に、この背景技術の文書には、作動要素の、すなわちピニオンギヤの保守又は交換は、時間がかかり、複雑であり、労力がかかるものであることが記載されており、その理由として、ピニオンギヤが組み立て中に組み付けられる最初の要素であるので、結合部材の完全な分解が必要となること、及び、ピニオンギヤの頭部が開口部よりも大きい直径を有するので、これを開口部から引き抜くのが可能ではないことが挙げられている。
【発明の概要】
【発明が解決しようとする課題】
【００２３】
本発明の目標は、構造的にコンパクトであり、薄い厚さを有するパネル上でも使用可能であり、取り付けのために必要なパネルに対する加工を最小限に抑え、パネルに対するこの加工によって生じる空間が本発明を提供するために最大限に利用されるようになっている結合装置を提供することによって、上記の欠点を取り除くことである。
【００２４】
この目標内で、本発明の目的は、パネルに対する影響を最小限に抑え、作動が単純且つパネル及び結合部材の両方の機械加工公差に拘わりなく長い期間にわたり有効である結合装置を提供することである。
【００２５】
別の目的は、結合部材及びパネルの完全性を維持しながら、作動要素に対する保守を迅速且つ容易に行うことが可能な発明を提供することである。
【００２６】
別の目的は、ギヤ同士を離間する傾向のある力を補償して最適な作動の実現を可能にし、構成要素が高い強度を有し、ギヤ同士の最適なクランプを可能にする結合装置を提供することである。
【００２７】
別の目的は、本発明自体よりも下の領域において家具に組み込まれた水平調節脚の、素早く容易で単純な調節を可能にする結合装置を提供することである。
【００２８】
別の目的は、特別に薄いパネルにおいて適用できるように構成要素の寸法を小さくすることを可能にする結合装置を提供することである。
【００２９】
別の目的は、使用される構成要素を減らし、結果的に製品を単純化することを可能にする結合装置を提供することである。
【００３０】
別の目的は、パネルへの組み付けが単純且つ容易である結合装置を提供することである。
【００３１】
別の目的は、製造コストが低く、通常の知られているシステムが設けられ得る結合装置を提供することである。
【課題を解決するための手段】
【００３２】
以下でより明らかになるであろう前記目標並びに前記目的及び他の目的は、特にシェルフを家具の側壁に結合するための結合装置であって、前記シェルフに横方向に設けられるように構成された第１の穴に組み込まれ得る円筒体を備え、前記第１の穴が、軸線方向の第１の座部に隣接した第２の座部内に回転可能に配置され得る第１の冠形状の頭部が設けられたねじの第１の軸部の回転可能な連結のためのものである結合装置において、第２の穴が、前記シェルフに前記第１の穴に対して直角に設けられるように構成されるとともに、実質的に上面と面一に又は上面よりも下にインサートを収容し、前記インサートには、前記第１の冠形状の頭部と回転可能に連結され得る第１のツールの第３の頭部用の第７の座部が設けられることを特徴とする、結合装置によって達成される。
【００３３】
本発明による結合装置の更なる特徴及び利点は、添付の図面において非限定的な例として図示される、具体的であるが排他的ではない本発明の実施形態の詳細な説明から、より明らかになるであろう。
【図面の簡単な説明】
【００３４】
【図１】本発明による結合装置の分解図である。
【図２】結合装置の断面図である。
【図３】円筒体のみを、冠形状の頭部を有するねじのない状態で示す、図２と同様の図である。
【図４】ブシュの側面斜視図である。
【図５】異なる実施形態による結合装置の断面図である。
【図６】異なる実施形態における結合装置の分解図である。
【図７】図６による結合装置の断面図である。
【図８】異なる実施形態における結合装置の分解図である。
【図９】図８による結合装置の断面図である。
【図１０】円筒体のみを、冠形状の頭部を有するねじのない状態で示す、図９と同様の図である。
【図１１】インサートの側面斜視図である。
【図１２】異なる実施形態における、結合装置の分解図である。
【図１３】図１２による結合装置の断面図である。
【図１４】円筒体のみを、冠形状の頭部を有するねじのない状態で示す、図１３と同様の図である。
【図１５】円筒体の側面斜視図である。
【発明を実施するための形態】
【００３５】
以下の例示的な実施形態では、特定の例に関連して与えられる個々の特徴は、実際には、他の例示的な実施形態において存在する他の異なる特徴と互いに交換可能である。
【００３６】
図面を参照すると、参照番号「１」は、特にシェルフ２を家具の側壁３に結合するための結合装置を示している。
【００３７】
結合装置１は、シェルフ２にその厚さ部分の一部を通って横方向に設けられるように構成された第１の穴５に配置可能である円筒体４によって構成されており、第１の穴５は円筒体４と相補的な形状となっている。
【００３８】
円筒体４は、実質的に円筒形で中空形状を有する単一のシェル６から成り、側壁３に向いている端部から始まり円筒体４の長さの一部に沿って、第１の冠形状の頭部１１が設けられたねじ１０の第１の軸部９を回転式に連結するための、軸線方向に延びる第１の座部８を画定するようになっている。
【００３９】
第１の軸部９は、第１の座部８において画定されるシェル６の内側側面５１に回転可能に当接される。ねじ１０の第１の頭部１１から突出している第１の軸部９の部分の近傍に、ねじ１０の軸線方向の摺動を阻止するように構成された環状凸部５２と相互作用する環状凹部４４が存在するのが有利である。
【００４０】
ねじ１０の第１の頭部１１は第２の座部１２の中に回転可能に配置可能であり、この第２の座部１２は、第１の座部８と同じ軸線に沿って得られ第１の座部８と連続しており、実質的に円筒形の形状を有する。
【００４１】
ねじ１０の第１の頭部１１は、第２の座部１２内で突出している。
【００４２】
シェル６は外側側面１９を有し、外側側面１９には、第１の座部８及び第２の座部１２の軸線に対して、したがって第１の軸部９の軸線に対して直角に、第３の座部又は穴１８がある。この第３の座部又は穴１８は、シェル６を貫通し、場合によっては貫通していにい。また、第３の座部又は穴１８の内部には、第２の座部１２に収容された第１の冠形状の頭部１１に回転可能に連結可能な、例えばねじ回しなどの第１のツール４９の第３の頭部４８を、一時的に配置することが可能である。
【００４３】
シェル６において、第３の座部又は穴１８の側方に、第３の座部又は穴１８と平行に且つねじ１０の第１の頭部１１に対して反対側に、シェル６の直径全体に影響ししたがってシェル６を貫通している別個の第６の座部又は穴３６が設けられている。
【００４４】
第２の穴２８は、シェルフ２に第１の穴５に対して直角に設けられこれに接続されるように構成されており、実質的に上面２９と面一となるよう又は上面２９よりも下になるようインサート３７を収容する。
【００４５】
インサート３７は実質的に円筒形の形状を有し、結合装置１を組み立てたときにシェルフ２の上面２９とシェル６の外側側面１９との間に存在する距離よりも大きい高さを有し、この結果、インサート３７は、取り付けられると、シェルフ２と実質的に面一な状態のままでねじ１０の第１の頭部１１上に載置される。
【００４６】
インサート３７は、円筒体４をシェルフ２に対してロックし、この結果、引き抜き防止部又はボルトとして機能する。
【００４７】
インサート３７には第７の座部３８が設けられ、これは、第３の座部又は穴１８と同じ軸線に沿って延びるように、中心軸線に対して偏倚されている。
【００４８】
第７の座部３８は、その内部に第１のツール４９の第３の頭部又は先端部４８を一時的に設置することを可能にするような直径を有する。
【００４９】
第８の座部３９は、同じく中心軸線に対して偏倚されて、第６の座部又は穴３６と同じ軸線に沿って配置されるようになっており、第７の座部３８に隣接して且つ第７の座部３８と平行に設けられている。
【００５０】
第８の座部３９は、第８の座部３９よりも下にあり且つ第８の座部３９と同軸に整列された領域において家具に組み込まれた脚を任意選択的に調節することができるよう、六角レンチ又はねじ回しなどの第２のツールを通すことを可能にするような直径を有する。
【００５１】
インサート３７は、円筒体４に設けられた第３の座部又は穴１８及び第６の座部又は穴３６に挿入可能であり、下側領域においてインサート３７から突出している第１の翼部４０及び第２の翼部４１を有する。
【００５２】
第１の翼部４０は、下側領域においてシェル６の内側側面４５に載置され、第８の座部３９に隣接した第７の座部又は穴３８の側方に突出し延びている。
【００５３】
第１のツール４９の第３の頭部４８は、第７の座部又は穴３８の中に一時的に配置可能である。
【００５４】
ねじ１０の第１の頭部１１に向いている第１の翼部４０の平坦な側面５３は部分的に切り欠かれており、これにより、プラスのねじ回しのような第１のツール４９における第３の頭部４８の端部５０と相補的な形状である第９の座部４２が得られるようになっている。
【００５５】
したがって、第１のツール４９の回転可能な相互接続は、第１の翼部４０に設けられた第９の座部４２があることによって行われ、これにより、第３の頭部４８がねじ１０の第１の頭部１１と噛合される。
【００５６】
第２の翼部４１は、第８の座部３９を取り囲んでその境界を画しており、第６の座部３６の中に配置され、この第６の座部３６は、下側領域において、円筒体４に設けられた相補的な形状の第５の穴４６に接続されている。
【００５７】
第２の翼部４１は、第２の穴２８の高さよりも僅かに低い高さを有する。
【００５８】
第６の座部３６は円筒体４を貫通しているので、シェルフ２が家具の底部として機能する場合に、下側領域においてシェルフ２に組み込まれた脚の任意選択的な調節を可能にするように構成されている第２のツールの出入りが可能となっている。
【００５９】
第３の穴３２は、側壁３に横方向に設けられるように構成されており、また、中に、ねじ１０の第１の軸部９の第３の端部３４の相互接続のために、内部にねじ部を有するブシュ３３を配置又は螺着することが可能である。
【００６０】
また、相互接続は異なる態様でも行うことができ、例えば、第１の軸部９に合板用のねじ部を持たせることもできる。
【００６１】
第４の穴３５は、シェルフ２の、上面２９の反対側にある下面に設けられるように構成されており、第３の座部１８及び第６の座部３６と平行であり、第２の穴２８と整合している。
【００６２】
したがって、その使用においては、本発明は、結合装置１がシェルフ２及び側壁３の両方の中に完全に収容され、第２の穴２８のみが見えているという点で、隠蔽型の結合装置１によって構成されているということになる。
【００６３】
ねじ１０をシェル６の内部に設置した後、円筒体４が第１の穴５に挿入され、次いでシェルフ２に設けられるように構成された第２の穴２８を通して、インサート３７が挿入される。このようにして、円筒体４はシェルフ２に一時的にロックされる。
【００６４】
装置を作動するために、第１のツール４８が第７の座部３８に挿入される。第１のツール４８に加えられた回転によりねじ１０が作動され、ねじ１０は、側壁３に組み込まれたねじ付きのブシュ３３に螺入する。
【００６５】
図５に示す構成手段では、インサート３７に設けられた第７の座部３８は、シェルフ２に垂直な軸線に対して偏倚されており、また第３の座部又は穴１８の軸線に対しても偏倚されており、反時計回りの回転を正と考えたときにシェルフ２の上面２９が配置される面に対して鋭角を形成するように傾斜している。
【００６６】
更に、第１の翼部４０の平坦な側面５３に設けられた第９の座部４２は、第７の座部３８と同じ軸線を有する。
【００６７】
第９の座部４２もまた、プラスのねじ回しのような第１のツール４９における第３の頭部４８の端部５０と相補的な形状であり、したがってこれも、第１の冠形状の頭部１１に回転可能に連結可能である。
【００６８】
図６及び図７は、第７の座部３８を取り囲みその境界を画す第１の翼部４０のみを備えるインサート３７の変形形態を示す。
【００６９】
第７の座部３８は図５に示す実施形態と同じ形状を有し、したがって、シェルフ２に垂直な軸線に対して及び第３の座部又は穴１８の軸線に対して偏倚されており、反時計回りの回転を正と考えたときにシェルフ２の上面２９が配置される面に対して鋭角を形成するよう傾斜するよう、配置されるようになっている。
【００７０】
第９の座部４２もまた、第１の翼部４０の平坦な側面５３上に設けられており、第７の座部３８と同じ軸線を有し、また、プラスのねじ回しのような第１のツール４９における第３の頭部４８の端部５０と相補的な形状であり、したがってこれも、第１の冠形状の頭部１１に回転可能に連結可能である。
【００７１】
第１の翼部４０の下側自由端５４は、円筒体４に設けられた第５の穴４６に配置されている。
【００７２】
図８〜図１２は、インサート３７に関する及び第１のツール４９の第３の頭部４８に関する、異なる実施形態を示す。
【００７３】
この場合、円筒形のインサート３７に中心軸線に沿って単一の第７の座部３８が設けられ、インサート３７は、単一のシェル６を貫通する第３の座部又は穴１８と同じ軸線に沿って配置されるようになっている。
【００７４】
インサート３７は第１の翼部４０を有し、この翼部４０はインサート３７の全長の一部に影響し、またその下側自由端５４は、単一のシェル６に設けられた相補的な形状の第５の穴４６に収容されるように、より小さい直径を有する。
【００７５】
ねじ１０の第１の頭部１１に向いている第１の翼部４０の平坦な側面５３は、第９の座部４２が得られるように、部分的に切り欠かれている。
【００７６】
インサート３７は、第２の穴２８の深さよりも実質的に低い高さを有する。
【００７７】
インサート３７は、円筒体４に設けられた第３の座部又は穴１８に挿入可能である。
【００７８】
第７の座部３８は、その内部に第１のツール４９の第３の頭部４８を一時的に設置することを可能にするような直径を有する。
【００７９】
第１のツール４９の第３の頭部４８は実質的にピニオン状の形状を有し、第２の座部１２に収容された第１の頭部１１に運動学的に連結するように構成されている。第３の軸部５９は、第３の頭部４８の端部から突出しており、相補的な形状の第９の座部４２に収容可能である。
【００８０】
このように、構造的にコンパクトであり、迅速且つ単純に組み立て可能であり、薄い厚さのパネルでも使用可能であり、取り付けのために必要なパネルに対する加工が最小限に抑えられ、パネルに対するこの機械加工によって生じる空間が本発明を提供するために最大限に利用されるようになっており、更にパネルを損なうことが回避される結合装置１が提供されており、本発明が意図した目標及び目的を達成していることが分かっている。
【００８１】
更に、本発明は、結合装置１がシェルフ２及び側壁３の両方に完全に収容され、第２の穴２８のみが見えているので、その挿入部が隠されていることにより、パネルにほとんど影響を与えない。
【００８２】
更に、インサート３７の第７の座部３８により、作動要素、すなわち第１のツール４９を収容すること、及び、円筒体４をねじ１０がその内部にある状態でシェルフ２に挿入した後、活性化要素を挿入すること、の両方が可能になり、第１のツール４９の作動が、単純であると共に、パネル及び装置の構成要素の両方の機械加工公差に拘わりなく長期間にわたって有効になることが確認されている。実際には、第２の穴２８を通りインサート３７の第７の座部３８を通る第１のツール４９に加えられた単純な回転により、第１のねじ１０を、側壁３に組み込まれたねじ付きブシュ３３に螺入することが可能になる。
【００８３】
更に、インサート３７が、シェルフ２に設けられるように構成されている第２の穴２８に、実質的にシェルフ２の上面２９と面一に又は上面２９よりも下になるように挿入され、円筒体４をシェルフ２の中にロックすることを可能にすることにより、インサート３７は引き抜き防止部又はボルトの機能をも果たすことが分かっている。
【００８４】
更に、インサート３７は、円筒体４をシェルフ２から引き抜く必要なく、インサート３７が中に収容される円筒体４から第２の穴２８を通して単純に取り外し可能であり、且つ、同様に単純に交換可能であるので、インサート３７の保守が迅速且つ容易に行われることが確認されている。
【００８５】
最後に、結合装置１が、第１のツール４９のような作動要素を加えて、円筒体４、ねじ１０及びインサート３７のようななどの３つの基本要素によって構成されるので、本発明により使用される構成要素の低減が実現可能になっており、製品の単純化が実現され、またしたがって、結合装置１のコンパクトさ並びに特別に薄いパネルへの結合装置１の適用の実現が可能になることが、確認されている。
【００８６】
単一のシェル６を提供することによって、そして、各結合装置１に対して単一の案内インサート３７を使用して、また家具の各々に対して第１のツール４９を使用して、従来使用されてきた、製造されるべきより複雑な構成要素である他の装置の代替品として機能させることによって、本発明のコストの低減も可能になる。例として、インサート３７は実際には、ピニオンよりも単純且つ安価である。更に、結合装置１の使用により、家具の各装置に対して、例えばピニオンなどの活性化要素を使用するのではなく、同じ家具に取り付けられる全ての結合装置に対して、第１のツール４９などの単一の作動要素を使用することが可能になり、使用されるべき構成要素の数が結果的に低減される。
【００８７】
更に、第１のツール４８を結合装置１の作動及びクランプのための要素として使用することにより、偶発的に解除され得ない安全且つ不可逆的な連結を行うことが可能になることが分かっている。
【００８８】
更に、図１〜図７に示す実施形態では、シェルフ２の上面２９に単一の穴２８を設けさえすれば、インサート３７に設けられた第８の座部３９が、かかる家具に組み込まれた脚を任意選択的に調節するための第２のツール用の通過座部として機能し、この結果、かかる発明よりも下に存在する領域において家具に組み込まれた水平調節脚の、迅速で容易で単純な調節が実現されることが、確認されている。
【００８９】
図８〜図１１に示す実施形態では、本発明自体よりも下の領域において家具に組み込まれた水平調節脚への到達径路が、結合装置１を閉じるために使用される第１のツール４９の軸線と同軸であり、したがってパネルが結合された場合に見えるようになるインサート３７のサイズの低減が実現可能になり、パネル２に対する影響が限定的であることが、確認されている。
【００９０】
最後に、第１のツール４９の第３の頭部４８の特定の実質的にピニオン状の形状により、ねじ１０の冠形状の頭部１１との第１のツール４９の連結を最適化することが可能になり、したがって結合装置１の強度が高まることが分かっている。
【００９１】
本発明に多数の修正及び変形を行うことが可能であり、これらの修正及び変形が全て添付の特許請求の範囲の範囲内にあることは、明らかである。
【００９２】
例えば、図１２〜図１５に示す実施形態では、円筒体４は、実質的に円筒形で中空形状を有し且つ前方連結によって軸線方向に連結可能である第１の半割りシェル７ａ及び第２の半割りシェル７ｂによって構成可能である。
【００９３】
第１の半割りシェル７ａは、第１の冠形状の頭部１１が設けられたねじ１０の第１の軸部９を回転式に連結するための第１の軸線方向の座部８を有する。
【００９４】
ねじ１０の第１の頭部１１は、第１の半割りシェル７ａに向いている端部１３の近傍に設けられた第２の座部１２（第２の半割りシェル７ｂの平坦部分１４を画定するように弦に沿って切断された部分）の中に回転可能に配置され得る。
【００９５】
第２の座部１２は、第１の座部８が配置される面に垂直な面に沿って得られ、実質的に半円形の形状を有し、２つの仕切り１５ａ、１５ｂの間に位置付けられており、仕切り１５ａ、１５ｂのうち、第１の半割りシェル７ａに向いている前方の仕切り１５ａは、第１の座部８と同じ軸線に沿った第１の軸部９の設置及び通過のための半円形の開口部１６を有する。
【００９６】
したがって、ねじ１０の第１の頭部１１の一部は、第２の座部１２から突出しており、第１の半割りシェル７ａから第２の半割りシェル７ｂの方向に突出している第１のタブ１７よりも下に存在する。
【００９７】
第１のタブ１７は、第２の半割りシェル７ｂと組み合わされたときに、第２の半割りシェル７ｂの切断端部１３の、したがってその下にあるねじ１０の第１の冠形状の頭部１１の上に存在するようになるまで、円弧に沿って延びている。
【００９８】
第２の半割りシェル７ｂには、上記第１の座部８の軸線に対して、したがって第１の軸部９の軸線に対して直角に、平坦部分１４から始まる第３の座部１８が設けられており、第３の座部１８は、下方の領域において開口しており、隣接する第２の座部１２には接続されていない。
【００９９】
平坦部分１４と、第１の半割りシェル７ａの外周表面１９ａ及び第２の半裁シェル７ｂの外周表面１９ｂとの間の距離は、ねじ１０の第１の頭部１１の高さに実質的に等しく、したがってねじ１０は、円筒体４を越えて突出しない。
【０１００】
インサート３７と、第２の座部１２の中に収容された第１の頭部１１に運動学的に連結するように構成されている第３の頭部４８が設けられた第１のツール４９の第３の軸部５９とを、第３の座部１８内に一時的に配置することが可能である。
【０１０１】
第２の半割りシェル７ｂは、切断端部１３から始まって、前方仕切り１５ａに設けられた開口部１６を取り囲むように第１の半割りシェル７ａの方向に第１の座部８と同軸である円弧に従うように突出する第２のタブ２５を有し、この場合、第２のタブ２５は、第１の半割りシェル７ａを第２の半割りシェル７ｂと軸線方向に連結している間、第１の座部８の中に第１の座部８の内側側面に隣接して配置される。
【０１０２】
ねじ１０の第１の軸部９の第１の端部２６は、第２のタブ２５に回転可能に載置され、この結果、第１の冠形状の頭部１１から突出している。
【０１０３】
使用される材料、並びに本発明の個々の構成要素を構成する寸法は、当然ながら、特定の用件に応じたより妥当なものとすることができる。
【０１０４】
有利である、便利であるなどとして示される特徴はまた、省略するか、又は等価物と入れ替えてもよい。
【０１０５】
本願が優先権を主張する伊国特許出願第１０２０１５００００２８４２４号（ＵＢ２０１５Ａ００１７５３）における開示は、参照により本明細書に組み込まれる。
【０１０６】
いずれかの請求項に記述された技術的特徴に参照符号が付されている場合、これらの参照符号は、ただこれらの請求項の理解し易さを高めるという目的のためだけに含まれたものであり、したがって、かかる参照符号は、かかる参照符号によって例示的に識別される各要素の解釈に対して、限定する効果を何ら有さない。
【図１】
2018528364.tif 000003
【図２】
2018528364.tif 000004
【図３】
2018528364.tif 000005
【図４】
2018528364.tif 000006
【図５】
2018528364.tif 000007
【図６】
2018528364.tif 000008
【図７】
2018528364.tif 000009
【図８】
2018528364.tif 000010
【図９】
2018528364.tif 000011
【図１０】
2018528364.tif 000012
【図１１】
2018528364.tif 000013
【図１２】
2018528364.tif 000014
【図１３】
2018528364.tif 000015
【図１４】
2018528364.tif 000016
【図１５】
2018528364.tif 000017
【国際調査報告】
2018528364.tif 000018
2018528364.tif 000019